(57)【要約】【課題】複数種類のカードを選択的に用いて、使用しようとするメモリーカードを、そのカードに合った挿入口に的確に挿入する。【解決手段】側面に複数のカード挿入口を有する円筒形状の回転スロットを、その天井面がコネクタ本体の天井板上に露出すると共に、該回転スロットの側面が一つの挿入口だけを前記コネクタ本体の表面板上に露出するように、コネクタ本体に対して回転自在に配置し、前記回転スロット内に、所定のカード挿入口に対応したコネクタ端子を配置したコネクタテーブルを挿入し、前記コネクタ端子からのＦＰＣコード又はばらケーブルをコネクタ本体のベース基板適所に配置したＦＰＣコネクタと結線する。回転スロットの側面の複数のカード挿入口は、回転方向に対して同一レベルに配置されるか、又は回転方向に対して互いに異なるレベルに配置される。【選択図】図１
2007012509.tif 000002
【特許請求の範囲】
【請求項１】
側面に複数のカード挿入口を有する円筒形状の回転スロットを、その天井面がコネクタ本体の天井板上に露出すると共に、該回転スロットの側面が一つの挿入口だけを前記コネクタ本体の表面板上に露出するように、コネクタ本体に対して回転自在に配置し、前記回転スロットの円筒形状内に、所定のカード挿入口に対応したカード受入口及びコネクタ端子を配置したコネクタテーブルを挿入し、前記コネクタ端子からのＦＰＣコード又はばらケーブルをコネクタ本体のベース基板適所に配置したＦＰＣコネクタと結線することを特徴とする、回転スロット式メモリーカードコネクタ。
【請求項２】
前記回転スロットの側面の複数のカード挿入口が、回転方向に対して同一レベルに配置され、且つ前記コネクタテーブルのカード受入口及びコネクタ端子が前記カード挿入口と連続しており、該コネクタテーブルが前記回転スロットと同時に回転することを特徴とする、請求項１に記載の回転スロット式メモリーカードコネクタ。
【請求項３】
前記コネクタテーブルと前記ベース基板との間にラチェットヒンジを挟持し、該ラチェットヒンジ適所に設けた突起と前記コネクタテーブル下面適所に設けた窪みとの間で、前記コネクタテーブルがクリック回転することを特徴とする、請求項２に記載の回転スロット式メモリーカードコネクタ。
【請求項４】
前記回転スロット及びコネクタテーブルが、360度以内の制限角度で回転するよう、前記回転スロット及びコネクタテーブルと、前記ベース基板との間に一部不連続円周溝とトレース突起とを形成した、請求項２に記載の回転スロット式メモリーカードコネクタ。
【請求項５】
円筒形状の回転スロットの側面に設けた複数のカード挿入口が、回転方向に対して互いに異なるレベルに配置され、且つ前記回転スロットの円筒内に設けたコネクタテーブルのカード受入口及びコネクタ端子が、前記回転スロットのカード挿入口と対応する、互いに異なるレベルに配置され、且つ前記コネクタテーブルは前記テーブル基板上に固定されることを特徴とする、請求項１に記載の回転スロット式メモリーカードコネクタ。
【請求項６】
前記回転スロットのカード挿入口とコネクタテーブルのカード受入口とが合致するように、前記回転スロット内面適所に設けた突起と前記コネクタテーブル上面適所に設けた窪みとの間で、前記回転スロットがクリック回転することを特徴とする、請求項５に記載の回転スロット式メモリーカードコネクタ。
【発明の詳細な説明】
【技術分野】
【０００１】
この発明は、コンパクト・フラッシュ（ＣＦ）、ＭＳカード／ＭＳデュオカード（ＭＳ／ＭＳ  Ｄｕｏ）、ＳＤ・ＭＭＣカード（ＳＤ／ＭＭＣ  ＲＳ−ＭＭＣ）、ミニＳＤカード（Ｍｉｎｉ−ＳＤ×Ｄ）等一般に多用されている複数種類のメモリーカードを１個のコネクタで電子情報処理するカードコネクタにおいて、使用する一種類のカードを選択し、その端子をカードコネクタに挿入し電気的に接続して、電子情報を取出し又は蓄積するようにしたメモリーカードコネクタに関する。
【背景技術】
【０００２】
従来、このような複数種類のメモリーカードを一つのコネクタに接続し、電子情報処理する場合、夫々のカードの寸法に合わせた挿入口と接続端子を配置した表面板を、コネクタの前面又は側面に設けることが、通常行われている。例として、特開平１０−１６２９０６号公報に記載された多段カードコネクタ、特開２００４−２１３５０５号公報に記載されたカード用コネクタ装置等がある。
【特許文献１】特開平１０−１６２９０６号公報
【特許文献２】特開２００４−２１３５０５号公報
【発明の開示】
【発明が解決しようとする課題】
【０００３】
このように複数種類のメモリーカードを選択的に用いる場合、使用者にとって使用しようとするメモリーカードを、そのカードに合った挿入口に的確に挿入しなければならず、挿入口の選択に手間取ったり、所定の挿入口に形状の類似した別種類のカードを挿入しようとしてカード又は端子を損傷してしまうことがあった。また、このように複数のカード挿入口を有するコネクタでは、既に挿入済みのカードの存在を忘れて、別の挿入口に別のカードを挿入してコネクタに繋げた電子機器を起動させて、トラブルに陥るケースもあった。このような事故を未然に防止する為には、挿入口の数を少なく、出来れば1個にし、また使用者が意識して、挿入しようとするカードに適合した挿入端子を用意することが必要になる。
【課題を解決するための手段】
【０００４】
そこでこの発明では、側面に複数のカード挿入口を有する円筒形状の回転スロットを、その天井面がコネクタ本体の天井板上に露出すると共に、該回転スロットの側面が一つの挿入口だけを前記コネクタ本体の表面板上に露出するように、コネクタ本体に対して回転自在に配置し、前記回転スロット内に、所定のカード挿入口に対応したコネクタ端子を配置したコネクタテーブルを挿入し、前記コネクタ端子からのＦＰＣコード又はばらケーブルをコネクタ本体のベース基板適所に配置したＦＰＣコネクタと結線するたことを特徴とする。回転スロットはその円板上面がコネクタ本体の天井板上に露出し、またその側面に設けられた複数のカード挿入口の内1つが、コネクタ本体の表面板上に露出するように配置する。回転スロットの円板上面適所に指掛け孔を設け、使用者が指で回転スロットを回転させて、所定のカード挿入口をコネクタ本体の表面板上に呼び出すことが出来る。
【０００５】
この発明の実施態様として、回転スロットの側面の複数のカード挿入口が、回転方向に対して間隔を置いて配置され、且つコネクタテーブルの複数のカード受入口及びコネクタ端子が、所定のカード挿入口と連続しており、このコネクタテーブルが回転スロットと同時に回転するか、又は回転スロットのみがコネクタテーブルの周りを所定角度回転して、回転スロットの所定のカード挿入口と、コネクタテーブルの所定のカード受入口とを合致させ、このカード挿入口のみをコネクタ本体の表面板上に露出させて、所定のカード挿入を可能にする。また、コネクタテーブルとベース基板との間にラチェットヒンジを挟持し、このラチェットヒンジ適所に設けた突起とコネクタテーブル下面適所に設けた窪みとの間で、前記コネクタテーブルがクリック回転して、回転スロットとコネクタテーブル、又は回転スロットが所定の回転角度位置で停止する。
【０００６】
この発明の一実施態様では、回転スロットの側面の複数のカード挿入口が、回転方向に対して同一レベルに配置され、且つコネクタ端子からのＦＰＣコード又はばらケーブルが、コネクタテーブル中心に設けた中心ケーブル孔を通してコネクタ本体のベース基板適所に配置したＦＰＣコネクタと結線する。ＦＰＣコード又はばらケーブルは、コネクタテーブルの回転に伴うコード又はケーブルの捩れが極力少なくなるように余裕をもって配置しているが、使用者がコネクタテーブルを過度に回転した結果、このコード又はケーブルがねじれによる断線を起こさないようにする。すなわち、回転スロット及びコネクタテーブルが、360度以内の制限角度で回転するよう、前記回転スロット及びコネクタテーブルと、前記ベース基板との間に一部不連続円周溝とトレース突起とを形成することができる。
【０００７】
さらに上記実施態様において、1種類のカードを挿入したまま、更に回転スロットを回転させて別種類のカードを挿入することによる、機器又は伝達情報処理上のトラブルを未然に防止する為に、1種類のカードを挿入したまま、更に回転スロットが回転することが出来ないようにするメカニズムを別途設けるか、又はコネクタ本体の表面板から挿入したカードのみが情報伝達が可能なように回路を整備する。
【０００８】
この発明の他の実施態様では、回転スロットの側面の複数のカード挿入口が、回転方向に対して互いに異なるレベルに配置され、且つコネクタテーブルのカード受入口及びコネクタ端子が、前記回転スロットのカード挿入口と対応する、互いに異なるレベルに配置される。この場合、回転スロットはカード挿入口の数だけ丈が高くなるが、コネクタテーブルは回転スロットと共に回転せず、テーブル基板上に固定されているので、前記実施態様のようなコネクタテーブルの回転に伴うコード又はケーブルの捩れは、未然に防止される。また、挿入されるカードが、カード挿入口とカード受入口の両方に係合するようにしておけば、1種類のカードを挿入したまま、更に別種類のカードを使用しようとして回転スロットを回転させることは出来ない。
【発明の効果】
【０００９】
この発明のコネクタは以上のように構成したので、回転スロットの回転により、その側面に設けられた複数のカード挿入口の内所定のカード挿入口1つだけが、コネクタ本体の表面板上に露出することになり、使用者がカード挿入口を誤って選択すること、また、カードの挿入を忘れて他のカードを使用しようとして起こる種々のトラブルは、未然に防止される。また、一実施態様で示したように、複数のカード挿入口を回転スロットの側面に同じレベルで配置した場合は、コネクタ本体の丈を低く形成することが可能となり、さらに、他の実施態様において，コネクタテーブルをベース基板に固定させる場合には、コネクタ端子からのＦＰＣコード又はケーブルの捩れは起こらない。
【実施例】
【００１０】
図１はこの発明の一実施例である、回転スロット式メモリーカードコネクタを示す。各部品は回転軸に沿って、上下に展開して示してある。コネクタ本体１は表面板及び天井板を有する固定天板２、ベース基板３、回転スロット４、カードコネクタ５及びこのカードコネクタとベース基板３との間を電気的に接続するＦＰＣ又はばらケーブル６がカードコネクタの中心軸孔７を経由して、ベース基板３に取付けたＦＰＣコネクタ８に接続されている。
【００１１】
回転スロット４は、側面に複数のカード挿入口９，９’、９”・・・を回転方向に対して同一レベルに配置し、全体形状は図示のように背の低い円筒形状に形成され、その側面が一つの挿入口９だけをコネクタ本体１の表面板の面に露出するように回転自在に配置される。この回転スロット４の円筒内に、所定のカード挿入口に対応したカード受入口１０、１０’、１０”・・及びコネクタ端子１１，１１’、１１”・・を配置したコネクタテーブル５が挿入され、回転スロット４と同時に回転する。
【００１２】
図１に示すように、コネクタテーブル５とベース基板３との間にラチェットヒンジ１２を挟持し、このラチェットヒンジ１２適所に設けた突起１３と前記コネクタテーブル下面適所に設けた窪み１３aとの間で、前記コネクタテーブルがクリック回転するように構成する。この構成により、回転スロット４を回転させる場合、カード挿入口９がコネクタ本体１の表面板の最適位置に来た時に回転スロット４及びコネクタテーブル５をクリック停止させることが出来る。
【００１３】
ＦＰＣコード又はばらケーブル６は、コネクタテーブル５の回転に伴うコード又はケーブルの捩れが極力少なくなるように余裕をもって配置する。また過度のよじれ防止のために、図２に示すように、回転スロット４及びコネクタテーブル５と、ベース基板３との間に一部不連続円周溝１７とトレース突起１８とを形成して、回転スロット４及びコネクタテーブル５が、ベース基板３に対して360度以内の制限角度で回転するよう構成する。これにより、コネクタテーブル５の回転運動にもかかわらず、それに結線されているＦＰＣコード又はばらケーブル６の捩れは許容範囲内に止められる。
【００１４】
図３に、この発明の他の実施例として、回転スロット１４の内部に収容されているコネクタテーブル１５がベース基板３上に固定されたものを示す。コネクタテーブル１５の各カード受入口及びコネクタ端子からのＦＰＣ１６はコネクタテーブル１５の背面に設けた基板を介してベース基板３上のＦＰＣコネクタ８に直接結線することが出来るので、前記実施例１のような、コネクタテーブルの回転に伴うコード又はケーブルの捩れは起こらない。
【００１５】
回転スロット１４は前実施例と同じように円筒形状のほか、図３に示すように多角形柱状体とすることができる。この柱状体側面に設けられた複数のカード挿入口１９，１９’、１９”・・は、回転方向に対して互いに異なるレベルに配置され、且つコネクタテーブル１５のカード受入口２０，２０’、２０”・・及びコネクタ端子２１，２１’、２１”・・は、回転スロット１４のカード挿入口と対応する互いに異なるレベルに配置される。この実施例の場合、回転スロット１４及びコネクタテーブル１５はカード挿入口の数だけ丈が高くなるが、前述したようにコネクタテーブル１５が回転せず、従ってベース基板との間のＦＰＣコード又はケーブルが安定的に配置される利点がある。
【００１６】
実施例１にも共通するが、回転スロット４，１４はコネクタ本体１の固定天板２上に露出しているから、この回転スロット４，１４の天板面適所に指掛け孔２２を設けて、使用者がこれに指を掛けて所定のカード挿入孔９、１９をコネクタ本体１の前面に導き出すようにすれば便利である。また、その回転角度を適宜規制するために、実施例２では、回転スロット１４のカード挿入口１９とコネクタテーブル１５のコネクタ端子のカード受入口２０とが合致するように、実施例Ｉと同様、回転スロット１４内面適所に、ラチェットヒンジを介してその表面に設けた突起２３と、コネクタテーブル上面適所に設けた窪み２３aとの間で、回転スロット１４がクリック回転運動をする。
【図面の簡単な説明】
【００１７】
【図１】この発明の一実施例である、回転スロット式メモリーカードコネクタを、一部展開した見取り図である。
【図２】回転スロットの回転を規制するための、一部不連続円周溝とトレース突起１３とを示した概念図である。
【図３】この発明の回転スロット式メモリーカードコネクタの他の実施例を、一部展開した見取り図である。
【符号の説明】
【００１８】
１    コネクタ本体
２    固定天板
３    ベース基板
４，１４  回転スロット
５，１５  コネクタテーブル
６，１６  ＦＰＣコード又はばらケーブル
７    中心軸孔
８  ＦＰＣコネクタ
９、１９    カード挿入口
１０、２０  カード受入口
１１  コネクタ端子
１２  ラチェットヒンジ
１３、１３a  突起及び窪み
１７  一部不連続円周溝
１８  トレース突起
２１  コネクタ端子
２２  指賭け孔
２３、２３a  突起及び窪み
【図１】
2007012509.tif 000003
【図２】
2007012509.tif 000004
【図３】
2007012509.tif 000005